(57)【特許請求の範囲】
【請求項１】
前面に開口を備えた断熱箱体と、該断熱箱体に回動自在に支持され、前記開口を開閉自在に閉塞する断熱扉と、該断熱扉の裏面の外周縁部に沿って取付けた略ロ字形のガスケットと、該ガスケットの下辺に沿って前記断熱扉に取付けたワイパーガスケットとを備えた冷却貯蔵庫において、
前記ワイパーガスケットの断面形状を摺擦片が対向する略逆Ｕ字形とするとともに、少なくとも上端に前記摺擦片の対向間隔を保持する間隔保持片を形成した押え板を該摺擦片間に装着し、該押え板を介して前記断熱扉に前記ワイパーガスケットを取り付けたことを特徴とする冷却貯蔵庫。
【請求項２】
前記ワイパーガスケットの一方の摺擦片に上方へ延びる延長片を形成し、前記断熱扉に取り付けられたとき、該延長片と前記ガスケットの下辺とがラップするようにしたことを特徴とする請求項１に記載の冷却貯蔵庫。
【発明の詳細な説明】
【０００１】
【発明の属する技術分野】
本発明は、冷却貯蔵庫に関するものである。
【０００２】
【従来の技術】
カートイン冷蔵庫の断熱扉は、下端にワイパーガスケット（ズリゴム）を取り付けて冷気洩れを防止している。断熱扉の扉本体ｐは、ドアパネルｑとドアパックｒにより構成されている。伝熱性の問題からドアパネルｑは、裏面への回りこみ部を大きくすることができないため、ワイパーガスケットｓを取り付ける押え板ｔは、ドアパックｒに直接ネジ止めしていた。従って、ドアパックｒの外周縁部には、押え板の部分を除いたコの字形のガスケットｕを取り付けていた（図９（ａ），（ｂ））。
【０００３】
【発明が解決しようとする課題】
しかしながら、このガスケットｕは、ドアパックｒを固定するビスと共締めされていないため押え力が弱く、図９（ａ）の左側に示すように自重によりずり下がる。そして、ガスケットｕの下端がフロワーと摺擦してバルーンが破れマグネットが落下してしまい、隅角部ｖや下端部のシール性が低下して冷気が洩れてしまう。また、図１０に示すワイパーガスケットｓは、ゴムシートを断熱扉の下部に取り付けただけのもので、シール性が不完全である。また、取り付け位置等の調整は断熱扉を取り外して行う必要がありその作業が面倒であった。
本発明は、上記問題点を解決するためになされたもので、断熱扉の下端部のシール性を向上させるとともに、ワイパーガケットの調整が容易な冷却貯蔵庫を提供することを目的とする。
【０００４】
【課題を解決するための手段】
上記目的を達成するために請求項１に記載された冷却貯蔵庫は、前面に開口を備えた断熱箱体と、該断熱箱体に回動自在に支持され、前記開口を開閉自在に閉塞する断熱扉と、該断熱扉の裏面の外周縁部に沿って取付けた略ロ字形のガスケットと、該ガスケットの下辺に沿って前記断熱扉に取付けたワイパーガスケットとを備えた冷却貯蔵庫において、前記ワイパーガスケットの断面形状を摺擦片が対向する略逆Ｕ字形とするとともに、少なくとも上端に前記摺擦片の対向間隔を保持する間隔保持片を形成した押え板を該摺擦片間に装着し、該押え板を介して前記断熱扉に前記ワイパーガスケットを取り付けることを特徴とする。
【０００５】
また、請求項２に記載された冷却貯蔵庫は、請求項１に記載の構成において、前記ワイパーガスケットの一方の摺擦片に上方へ延びる延長片を形成し、前記断熱扉に取り付けられたとき、該延長片と前記ガスケットの下辺とがラップするようにしたことを特徴とする。
【０００６】
請求項１に記載された冷却貯蔵庫によれば、ワイパーガスケットは摺擦片間に装着した押え板を介して、断熱扉に取り付けられる。摺擦片間に装着した押え板を介して取り付けることにより、断熱扉に当接する部分を小さくできる。従って、ワイパーガスケットをドアパックの外側のドアパネルに取り付けることができるとともに、その上端と断熱扉の裏面の外周縁部に沿って取り付けた略ロ字形のガスケットの下辺とを近接させることができ、断熱扉の下端部のシール性を向上できる。また、押え板の上端の間隔保持片により、摺擦片の対向間隔が保持されるから、断熱扉の開閉の際摺擦片どうしが接近してしまいシール性が損なわれることがない。さらに、ガスケットに結露した水滴をワイパーガスケットにより受けることができる。ワイパーガスケットの取り付け位置等の調整も簡単にできる。
【０００７】
請求項２に記載された冷却貯蔵庫よれば、ワイパーガスケットの一方の摺擦片に形成した延長片とガスケットの下辺とがラップするように、ワイパーガスケットを取り付けることにより、延長片の上端とガスケットの下辺との間に隙間が生じることがなく見栄えがよい。
【０００８】
【発明の実施の形態】
本発明の１実施形態を添付図面を参照して説明する。図１は本実施形態に係るカートイン冷蔵庫（以下冷蔵庫という）１の断面図、図２は断熱扉４の裏面図である。冷蔵庫１は断熱箱体２と、その前面に形成した矩形の開口３を閉塞するため該開口３の一側に開閉自在に枢支された断熱扉４と、断熱箱体２内に形成された貯蔵室５とから構成されている。断熱箱体２の上面には断熱部材で覆われた冷却室６が形成され、内部に冷却器７が配設されている。また、断熱箱体２の上面には、冷却器７とともに冷凍サイクルを構成する図示しない圧縮機、凝縮器等が配設されている。冷却室６を構成する断熱箱体２の天井壁８には、貯蔵室５に連通させた吸い込み口９と吐き出し口１０が形成されている。吸い込み口９には、送風機１１が配設されている。開口３が形成された部分の断熱箱体２の底壁１２の前面には、カートｃの出し入れのためのスロープ１３が形成されている。
【０００９】
開口３を開閉する断熱扉４の裏面には、図２に示すように断熱扉を構成するドアパック１４の外周縁部に沿って略ロ字形のガスケット１５が取り付けられている。そして、ガスケット１５の下辺１５ａに接近させるとともに、該下辺１５ａに沿わせて、長さを断熱扉４の横寸法ｌに略合致させたワイパーガスケット１６が取り付けられている。
【００１０】
ワイパーガスケット１６は、図３に示すように対向する摺擦片１７ａ，１７ｂ間を、連結片１６ａにより連結して断面形状を略逆Ｕ字形とするとともに、一方の摺擦片１７ａに上方に延びる延長片１８を一体成形したものである。このワイパーガスケット１６を断熱扉４に取り付ける押え板１９は長尺物であって、図４に示すように押圧面２０の上端と下端に摺擦片１７ａ，１７ｂ間の間隔を保持する間隔保持片２０ａ，２０ｂが形成されている。上端の間隔保持片２０ａは、押圧板２０となす角度θを鈍角に形成されている。これにより、摺擦片１７ａ，１７ｂの下端に高低差が生じる。
【００１１】
上記のワイパーガスケット１６は、図５に示すように摺擦片１７ａ，１７ｂ間に押え板１９を装着し、間隔保持片２０ａを連結片１６ａに当接させる。そして、摺擦片１７ｂを押圧する押圧面２０を断熱扉４のドアパネル２１に締着ネジ２２によりネジ止めして取り付けられる。このとき、一方の摺擦片１７ａに一体成形された延長片１８と、ガスケット１５の下辺１５ａとをラップさせる。
【００１２】
上記したように、本実施形態の冷蔵庫１は、断熱扉４の裏面の外周縁部に沿って略ロ字形のガスケット１５を取り付けたもので、該ガスケット１５の形状が安定して長期間使用しても変形することがない。またガスケット１５の下辺１５ａとワイパーガスケット１６の上端を近接させて、断熱扉の下端部のシール性を向上させている。そして、ワイパーガスケット１６の長さを、断熱扉４の横寸法ｌに略合致させ、特に断熱扉４の両側下端部のシール性を向上させている。
【００１３】
また、ワイパーガスケット１６は、摺擦片１７ａ，１７ｂ間に装着した押え板１９を介して断熱扉４に取り付けることにより、断熱扉４に当接する部分を小さくできるから、略ロ字形のガスケット１５の下辺１５ａに沿わせて、ドアパック１４の外側のドアパネル２１に取り付けることができる。そして、押え板１９の間隔保持片２０ａ，２０ｂにより、摺擦片１７ａ，１７ｂの対向間隔が保持されるから、断熱扉４の開閉の際摺擦片１７ａ，１７ｂどうしが接近してしまいシール性が損なわれることがない。さらに、ガスケット１５の下辺１５ａに付着した水滴ｗをワイパーガスケット１６により受けることができる（図６）。
【００１４】
そして、ワイパーガスケット１６の取り付け位置を上下方向で調整して、一方の摺擦片１７ａに一体成形された延長片１８と、ガスケット１５の下辺１５ａとをラップさせることにより、延長片１８の上端とガスケット１５の下辺１５ａとの間に隙間が生じることがなく見栄えがよくなる。この場合、ワイパーガスケット１６が最下位位置に取り付けられた場合でも、延長片１８とガスケット１５の下辺１５ａとがラップするようになっている。また、間隔保持片２０ａと押圧板２０となす角度θを調節して、該間隔保持片２０ａとスロープ１３が平行になるようにし、断熱扉４の開閉の際、該高低差を生じた摺擦片１７ａ，１７ｂがスロープ１３を確実に摺擦するようにできる。
【００１５】
図７は、冷蔵庫１の断熱箱体２を設置床に埋め込んで、断熱箱体２の底壁１２と設置床面ｆが面一となるようにしたものである。この場合のワイパーガスケット１６を取り付けるための押え板２９は、上端と下端に形成する間隔保持片３０ａ，３０ｂを、押圧面３０に対して直角に屈曲して形成したものである。これにより、断熱扉４に取り付けられたワイパーガスケット１６の摺擦片１７ａ，１７ｂの下端は、同一高さで設置床面ｆを摺擦でき、冷蔵庫１の断熱箱体２を設置床に埋め込む場合に対応することができる。
【００１６】
図８（ａ），（ｂ）は、ワイパーガスケットの変形例を示したものである。図８（ａ）に示すワイパーガスケット２６は、対向させた摺擦片２７ａ，２７ｂの外側に別の摺擦片２７ｃを一体成形するとともに、摺擦片２７ｃに上方に延びる延長片２８を一体成形したものである。また、図８（ｂ）に示すワイパーガスケット３６は、一方の摺擦片３７ａの下端に二股の摺擦部３７ｃを一体成形するとともに、摺擦片３７ａに上方に延びる延長片３８を一体成形したものである。何れのワイパーガスケット２６，３６も、確実に摺擦してシール性を向上できる。
【００１７】
尚、押え板１９，２９の下端の間隔保持片２０ｂ，３０ｂは、必ずしも必要ではなく上端の間隔保持片２０ａ，３０ａだけのものであってもよい。
【図面の簡単な説明】
【図１】  冷蔵庫の断面図である。
【図２】  断熱扉の裏面図である。
【図３】  ワイパーガスケットの断面図である。
【図４】  押え板の断面図である。
【図５】  ワイパーガスケットの取り付け状態を示した要部の断面図である
【図６】  ワイパーガスケットの取り付け時の効果を示した説明図である。
【図７】  冷蔵庫の変形例を示した断面図である。
【図８】  ワイパーガスケットの変形例を示した断面図である。
【図９】  従来例を示した説明図である。
【図１０】  他の従来例を示した説明図である。
【符号の説明】
１...冷蔵庫
２...断熱箱体
３...開口
４...断熱扉
１２...底壁
１４...ドアパック
１５...ガスケット
１５ａ...下辺
１６，２６，３６...ワイパーガスケット
１７ａ，１７ｂ、２７ａ，２７ｂ、３７ａ，３７ｂ...摺擦片
１８，２８，３８...延長片
１９，２９...押え板
２０，３０...押圧面
２０ａ，２０ｂ、３０ａ，３０ｂ...間隔保持片
２１...ドアパネル
【図１】
0003871864.tif 000002
【図２】
0003871864.tif 000003
【図３】
0003871864.tif 000004
【図４】
0003871864.tif 000005
【図５】
0003871864.tif 000006
【図６】
0003871864.tif 000007
【図７】
0003871864.tif 000008
【図８】
0003871864.tif 000009
【図９】
0003871864.tif 000010
【図１０】
0003871864.tif 000011